(57)【特許請求の範囲】
【請求項１】
背景図柄と該背景図柄に組み込まれた文字による図柄から構成された回折格子からなる光回折構造であって、
前記文字による図柄の境界線を含む図柄の内側部分には、文字，数字，記号の単独、又は２以上の組み合わせからなる隠し情報が組み込まれており、
前記文字による図柄の内側部分に形成された回折格子の画素の大きさＡと、前記背景図柄の回折格子の画素の大きさＢとは、Ｂ／Ａ≧１０となるように組み込まれ、ＡはＢの約数であることを特徴とする光回折構造。
【請求項２】
請求項１に記載の光回折構造において、
隠し情報を構成する回折格子と、文字による図柄の内側部分の前記隠し情報周辺部を構成する回折格子とは、格子ピッチ，格子角度，格子密度の何れかが異なった回折格子で構成されたことを特徴とする光回折構造。
【請求項３】
請求項１または２に記載の光回折構造において、
隠し情報の文字，数字，記号の大きさが最大５０μｍであることを特徴とする光回折構造。
【請求項４】
請求項１〜３に記載の光回折構造において、
隠し情報の文字，数字，記号には、さらに、線分，図柄が要素として組み込まれたことを特徴とする光回折構造。
【発明の詳細な説明】
【技術分野】
【０００１】
本発明は、光回折構造に関し、詳しくは、目視可能な回折格子領域と隠し情報を含む回折格子領域との境界を判り難くした光回折構造に関する。
【背景技術】
【０００２】
近年、カラーコピー機の解像機能の向上、色再現機能の向上によって極めて精巧なコピーが得られるようになってきている。
そのために、高額紙幣や商品券等の金券類は、カラーコピー機による偽造を防止するために、デザインの一部にカラーコピー機のセンサーでは読み取ることができない小さな網点や細線を、同じ反射濃度でデザインされた絵柄の中に組み込んでいる。
その結果、これらの高額紙幣や商品券をカラーコピー機によって複写しようとすると、コピー機のスキャナーが小さな網点や細線を読み落とし、その部分が白く抜けることでコピー品であると判別している。
【０００３】
また、高度な複製技術を必要とするホログラムが、一部の高額紙幣や、その他の金券類に使用されている。
ホログラム，回折格子は、目視した際の視認性が特徴的で、かつその製造技術が高度なことから偽造防止分野で多く使用されてきた。
【０００４】
例えば、回折格子やホログラム等の偽造に対する安全性を高めるために、単色光が照射されたとき、その透過回折光又は反射回折光が真正商品であることを示す所定画像を投影するよう構成された第一及び第二のホログラムパターンがそれぞれＣＧＨ（Ｃｏｍｐｕｔｅｒ  Ｇｅｎｅｒａｔｅｄ  Ｈｏｌｏｇｒａｍ）として記録されている真正商品表示像投映データ記録済光記録媒体を用いることにより、単色光の所定の波長の光を照射すると、所定の映像が投影されるか否かにより、容易に商品の真贋の判定を行なうことができるという「真正商品表示像投影データ記録済光記録媒体及び商品の真贋判定装置並びに光記録媒体読取り装置」が提案されている（例えば、特許文献１参照）。
また、単なるホログラムでは、偽造防止手段として不十分だとして、「立体マイクロパターン表示体」が提供されている（例えば、特許文献２参照）。
特許文献２に記載された技術は、ホログラムが多数の微小なマイクロ文字、あるいは、幾何学的なマイクロ図形の三次元集合体からなり、それら多数の微小マイクロ文字、あるいは、幾何学的なマイクロ図形が三次元的に集合して特定の立体形状体を構成するように配置された「立体マイクロパターン表示体」であるとしている。
【０００５】
【特許文献１】特開２０００−３１２４号公報
【特許文献２】特開２００４−１３８６８８号公報
【発明の開示】
【発明が解決しようとする課題】
【０００６】
特許文献１に記載された技術は、ホログラムが形成されている領域が広く、また、形成されている位置が明瞭で、ホログラムの解析が容易なため、安全性に対する配慮が万全とはいえない。
また、特許文献２に記載された技術は、微小マイクロ文字、あるいは、幾何学的なマイクロ図形が三次元的に集合して特定の立体形状体を構成するように配置されたものでり、微小マイクロ文字を隠し情報として使用するものではない。
そこで、本発明は、目視可能な回折格子領域と隠し情報を含む回折格子領域との境界を判り難くした光回折構造を提供することを目的とする。
【課題を解決するための手段】
【０００７】
前記課題の目的を達成するために、本発明の光回折構造の第一の発明は、背景図柄と該背景図柄に組み込まれた文字による図柄から構成された回折格子からなる光回折構造であって、前記文字による図柄の境界線を含む図柄の内側部分には、文字，数字，記号の単独、又は２以上の組み合わせからなる隠し情報が組み込まれており、前記文字による図柄の内側部分に形成された回折格子の画素の大きさＡと、前記背景図柄の回折格子の画素の大きさＢとは、Ｂ／Ａ≧１０となるように組み込まれ、ＡはＢの約数であることを特徴とするものである。
【０００８】
また、第二の発明は、第一の発明において、隠し情報を構成する回折格子と、文字による図柄の内側部分の前記隠し情報周辺部を構成する回折格子とは、格子ピッチ，格子角度，格子密度の何れかが異なった回折格子で構成されたことを特徴とするものである。
【００１０】
また、第三の発明は、第一または第二の発明において、隠し情報の文字，数字，記号の大きさが最大５０μｍであることを特徴とするものである。
【００１１】
また、第四の発明は、第一〜第三の発明において、隠し情報の文字，数字，記号には、さらに、線分，図柄が要素として組み込まれたことを特徴とするものである。
【発明の効果】
【００１２】
１）第一の発明のように、背景図柄と該背景図柄に組み込まれた文字による図柄から構成された回折格子からなる光回折構造であって、前記文字による図柄の境界線を含む図柄の内側部分には、文字，数字，記号の単独、又は２以上の組み合わせからなる隠し情報が組み込まれており、前記文字による図柄の内側部分に形成された回折格子の画素の大きさＡと、前記背景図柄の回折格子の画素の大きさＢとは、Ｂ／Ａ≧１０となるように組み込まれ、ＡはＢの約数であることによって、ホログラム絵柄を作成する際に必要以上に画素が細かくなりすぎず、その結果、データの軽量化が可能になり、取り扱いが容易となる。また、隠し情報である文字，記号をより細かく設定することができ、かつ、全体の画素を必要以上に細かくする必要がなくなる。また、隠し情報の周辺部とそれ以外の領域の間に隙間のない絵柄を形成することができるため隠し情報の存在を知られることなく、配置することができる。
２）また、第二の発明のように、第一の発明において、隠し情報を構成する回折格子と、文字による図柄の内側部分の前記隠し情報周辺部を構成する回折格子とは、格子ピッチ，格子角度，格子密度の何れかが異なった回折格子で構成されたことによって、隠し情報である文字，数字，記号の内部と周辺部の回折条件が異なるため、隠し情報の判別が可能となる。
３）また、第三の発明のように、第一または第二の発明において、隠し情報の文字，数字，記号の大きさが最大５０μｍであることによって、偽造を試みる者に対し、文字，数字，記号の存在に気付く機会を与えず、偽造を防止することができる。また、発行者や、管理者など、その存在を知っている者は、ルーペなどでその存在を確認することにより、物品の真偽を容易に確認することができる。
４）また、第四の発明のように、第一〜第三の発明において、隠し情報の文字，数字，記号には、さらに、線分，図柄が要素として組み込まれたことによって、隠し情報は、その存在を気付かれる危険性が少なくなる。
【発明を実施するための最良の形態】
【００１３】
以下、図面を参照して、本発明の光回折構造について説明する。
図１は、本発明の光回折構造の一例について説明するための図，図２と図３は、図１の図柄の一部を拡大した図の一例，図４は、図３の一部の拡大図，図５は、隠し情報の内部と隠し情報周辺部の画素構成の一例について説明するための図，である。
【００１４】
図１を参照して、本発明の光回折構造の一例について説明する。
図１に示す例で、光回折構造１は、回折格子による画素で構成された認証ラベルである。
認証ラベルは、偽造されては困るブランド品などの保証書やブランド品そのものの一部に貼付して使用する。
また、偽造されては困る紙幣，商品券，入場券，ギフト券，手形，小切手，カード，証明書，保証書等のシート状の対象物には、光回折構造が剥ぎ取られないように光回折構造を有する極めて薄い樹脂だけを転写して使用する。
これらラベル、または、転写物による光回折構造１には、偽造されたものか、本物かを判別するために、文字による図柄１１、または、文字による図柄の背景図柄１２の、少なくとも一部に、前記文字，数字，記号による隠し情報が組み込まれる。
そして、前記隠し情報として文字，数字，記号が単独、または、２以上の組み合わせで組み込まれる。
【００１５】
図２を参照して、図１の図柄の一部１１０について説明する。
図柄の一部１１０ａは、文字による図柄１１と文字による図柄の背景図柄１２で構成されている。
さらに、文字による図柄１１は、文字による図柄の境界線部分（以下、単に境界線ともいう。）１１１と文字による図柄の内側部分１１２で構成され、文字による図柄の内側部分１１２には隠し情報１１１１が組み込まれている。
前記隠し情報１１１１は、文字，数字，記号の何れか、または、組み合わせで構成される。
そして、隠し情報「ｇｅｎｕｉｎｅ」は、目視では視認することができないように、文字の高さを５０μｍ以下の大きさとして組み込む。
隠し情報１１１１は、図示したノーマルな状態以外に、文字による図柄の境界線１１１の内側に縦，横，斜め，自由に組み込むことができ、組み込む方法も自由に選択することができる。例えば、「ｇｅｎｕｉｎｅ」の文字を繰り返し表示し、特定の「ｇｅｎｕｉｎｅ」を、「ｇｅｕｎｉｎｅ」のように、「ｕ」と「ｎ」をわざと入れ替えたりすることもできる。
【００１６】
隠し情報１１１１と、隠し情報の周辺部とは、格子ピッチ，格子角度，格子密度の何れかが異なった回折格子となるように組み込まれる。
例えば、隠し情報１１１１と、その周辺部は、同一の格子ピッチ，同一の格子密度の回折格子で構成された場合は、格子角度を変化させ、格子角度が同一であった場合は、格子ピッチ，格子密度の何れか、もしくは、その双方を変えて形成する。
このことによって、「認証ラベル」の偽物が出現したときに、ルーペなどで拡大することによって真偽を判別できるようにしている。
【００１７】
また、文字による図柄の背景図柄１２は、文字による図柄１１の内側部分１１２に形成された文字，数字，記号による隠し情報や、隠し情報の周辺部を構成する回折格子の画素より大きな画素で構成される。
【００１８】
図３を参照して、図１の図柄の一部１１０について説明する。
図２で説明したと同様、図柄の一部１１０ｂは、文字による図柄１１と文字による図柄の背景１２で構成されている。
さらに、文字による図柄１１は、文字による図柄の境界線部分１１１と文字による図柄の内側部分１１２で構成され、文字による図柄の境界線部分１１１には隠し情報１１１１が組み込まれている。
前記隠し情報１１１１は、文字，数字，記号の何れか、または、組み合わせで構成される。
図３に示す例では、隠し情報「ｇｅｎｕｉｎｅ」は、目視では視認することができない５０μｍ以下の大きさで組み込まれる。
文字による図柄の境界線部分１１１が狭い場合は、図のように、隠し情報１１１１は、一段組み構成で組み込まれ、図２で説明したと同様、「ｇｅｎｕｉｎｅ」の文字を繰り返し表示し、その際に、特定の「ｇｅｎｕｉｎｅ」を、「ｇｅｕｎｉｎｅ」のように、「ｕ」と「ｎ」をわざと入れ替えたりすることもできる。
【００１９】
図２の場合と同様、隠し情報１１１１と、隠し情報の周辺部とは、格子ピッチ，格子角度，格子密度の何れかが異なった回折格子となるように組み込まれる。
例えば、隠し情報１１１１と、その周辺部は、同一の格子ピッチ，同一の格子密度の回折格子で構成された場合は、格子角度を変化させ、格子角度が同一であった場合は、格子ピッチ，格子密度の何れか、もしくは、その双方を変えて形成する。
そのことによって、「認証ラベル」の偽物が出現したときに、ルーペなどで拡大することによって真偽を判別できるようにしている。
【００２０】
また、文字による図柄の背景図柄１２は、文字による図柄の境界線部分１１１に形成された文字，数字，記号による隠し情報や、隠し情報の周辺部を構成する回折格子の画素より大きな画素で構成される。
【００２１】
図４を参照して、光回折構造の文字による図柄の内側に組み込まれる文字，数字，記号などによる隠し情報とその周辺部を構成する回折格子、および、文字による図柄の背景図柄を構成する回折格子について更に詳しく説明する。
図４は、図３の文字による図柄の境界線部分１１１とその周辺部の一部を拡大したものである。
図４の文字による図柄の境界線部分１１１には、文字による隠し情報１１１１が、文字による図柄の境界線の幅と略同じ高さ形成されている。前述のように、隠し情報１１１１は、目視では視認することができない５０μｍ以下の大きさで組み込まれる。
文字による図柄の境界線１１１の外側には、文字による図柄の背景図柄１２が、やはり、回折格子で形成されている。文字による図柄の境界線１１１と、文字による図柄の背景図柄１２の間には隙間が生じないように形成される。
【００２２】
図柄の境界線部分１１１の、文字による隠し情報１１１１は、一辺が「Ａ」の正方形の画素１１１１０で構成され、隠し情報周辺部１１１２も同様、一辺が「Ａ」の正方形の画素１１１２０で構成される。
文字による図柄の境界線１１１の外側の文字による図柄の背景図柄１２は、一辺が「Ｂ」の画素１２０で構成される。
画素の形状は、正方形に拘るものではなく、文字による隠し情報１１１１と、隠し情報周辺部１１１２の境界部分に隙間が生じない、例えば、正三角形や正六角形、円ような形状を選択することができる。
そして、「隠し情報」と「隠し情報の周辺部」の画素の大きさＡと、「隠し情報と隠し情報の周辺部」以外の部分の画素の大きさＢを、Ｂ／Ａ≧１０となるように設定し、Ａは、Ｂの約数となるように設定する。
例えば、「Ａ」を５μｍとし、「Ｂ」を５０μｍとすることによって、「＜隠し情報＞と＜隠し情報の周辺部＞」、「＜隠し情報の周辺部＞と＜それ以外の部分＞」の境界に隙間を生じさせず、文字，数字，記号の存在を知られることなく形成することができる。
【００２３】
ここまでの説明では、文字，数字，記号などによる隠し情報を、文字による図柄の中に組み込む例で説明してきたが、文字による図柄が含まれてる光回折構造でも文字による図柄以外の図柄に組み込まれて使用されてもかまわない。
ましてや、文字による図柄が含まれていない光回折構造の場合は当然所定の図柄の中、または、境界線などに組み込んで使用することができる。
【００２４】
図５は、隠し情報の内部と、隠し情報の周辺部の回折格子による画素の組み合わせの一例を示している。さらに、表２に示す例は、隠し情報が、隠し情報の周辺部に囲まれており、隠し情報の内部と隠し情報の周辺部との間には、隙間がない構成になっている。
【００２５】
例えば、構成例「ａ」のように、隠し情報の内部の回折格子による画素が「格子ピッチ＝１．０μｍ，格子角度＝−４５°，格子密度＝１００％」のときに、隠し情報の周辺部の回折格子による画素は、「格子ピッチ＝１．０μｍ，格子角度＝＋４５°，格子密度＝１００％」とし、画素の要素の一つである「格子角度」が異なるように形成する。
また、例えば、構成例「ｂ」のように、隠し情報の内部の回折格子による画素が「格子ピッチ＝０．６μｍ，格子角度＝−４５°，格子密度＝１００％」のときに、隠し情報の周辺部の回折格子による画素は、「格子ピッチ＝１．０μｍ，格子角度＝−４５°，格子密度＝１００％」とし、画素の要素の一つである「格子ピッチ」が異なるように形成する。
また、例えば、構成例「ｃ」のように、隠し情報の内部の回折格子による画素が「格子ピッチ＝１．０μｍ，格子角度＝−４５°，格子密度＝１００％」のときに、隠し情報の周辺部の回折格子による画素は、「格子ピッチ＝１．０μｍ，格子角度＝−４５°，格子密度＝５０％」とし、画素の要素の一つである「格子密度」が異なるように形成する。
【００２６】
上記、構成例「ａ」〜「ｃ」の場合は、格子ピッチ，格子角度，格子密度何れかの要素が異なっているために、隠し情報をその周辺部と切り離して判別することができるが、構成例「ｄ」の場合は、隠し情報の内部の回折格子による画素と隠し情報の周辺部の回折格子による画素が、「格子ピッチ＝１．０μｍ，格子角度＝−４５°，格子密度＝１００％」と同一なために、隠し情報を判別することはできない。
また、表には例示しないが、隠し情報の内部の回折格子による画素「格子ピッチ＝１．０μｍ，格子角度＝−４５°，格子密度＝１００％」のときに、隠し情報の周辺部の回折格子による画素を「格子密度＝０」とする構成例も有効である。
【産業上の利用可能性】
【００２７】
紙幣，商品券，入場券，ギフト券，手形，小切手，カード，証明書，保証書等に利用することができる。
【図面の簡単な説明】
【００２８】
【図１】本発明の光回折構造の一例について説明するための図である。
【図２】図１図柄の一部を拡大した図の一例である。
【図３】図１図柄の一部を拡大した図の一例である。
【図４】図３の一部の拡大図である。
【図５】隠し情報の内部と、隠し情報周辺部の画素構成の一例について説明するための図である。
【符号の説明】
【００２９】
１      光回折構造
２      表
１１    文字による図柄
１２    文字による図柄の背景図柄
１１０，１１０ａ,１１０ｂ  図柄の一部
１１１  文字による図柄の境界線部分
１１２  文字による図柄の内側部分
１２０  文字による図柄の背景図柄を構成する画素
１１１１  隠し情報
１１１２  隠し情報周辺部
１１１１０  隠し情報を構成する画素
１１１２０  隠し情報周辺部を構成する画素
【図１】
0004816216.tif 000002
【図２】
0004816216.tif 000003
【図３】
0004816216.tif 000004
【図４】
0004816216.tif 000005
【図５】
0004816216.tif 000006